(57)【要約】【課題】  大容量のメモリを搭載した携帯型の音楽データ再生装置は、膨大な曲数の音楽データを蓄積できるため、ユーザにとって曲の管理が難しく、何らかの検索方法が必要である。【解決手段】  音楽データ送信装置１は、音楽データ受信装置２から送信されたキーワードに基づき検索して得られた音楽データをデータベース１１から取り出して音楽データ受信装置２へ送信する。音楽データ受信装置２は音楽データを受信し、音楽データ再生装置３へ受信した音楽データと共に、ユーザが先の検索時に入力した送信キーワード、あるいは今回新たに自分の言葉で作成したキーワードを出力する。音楽データ再生装置３は音楽データ受信装置２から出力された音楽データとキーワードを受信すると、受信キーワードを受信音楽データと関連付けて、それらをデータベース３１にダウンロードする。【選択図】            図１
2005233986.tif 000002
【特許請求の範囲】
【請求項１】
データベースに複数の音楽データがそれぞれ第１のキーワードと関連付けられて予め蓄積されている配信サイトである音楽データ送信装置に対して、通信ネットワークを介して音楽データ受信装置から所望の音楽データに関連する第２のキーワードを送信し、音楽データ送信装置において受信した前記第２のキーワードに一致する所望の音楽データを検索させた後、検索して得られた前記所望の音楽データを前記音楽データ送信装置から前記通信ネットワークを介して音楽データ再生装置に配信させ、前記音楽データ再生装置の記録媒体にダウンロードする音楽データダウンロード方法であって、
前記音楽データ送信装置は、前記第２のキーワードに基づき検索して得られた前記所望の音楽データを少なくとも前記通信ネットワークを介して前記音楽データ受信装置へ送信し、前記音楽データ受信装置は、受信した前記検索された所望の音楽データを、前記音楽データ送信装置へ送信した前記第２のキーワード又は新たに作成した第３のキーワードと共に前記音楽データ再生装置へ供給し、前記音楽データ再生装置は、供給された前記検索された所望の音楽データと、供給された前記第２又は第３のキーワードとを関連付けて前記記録媒体に記録することを特徴とする音楽データダウンロード方法。
【請求項２】
請求項１記載の音楽データダウンロード方法によって、複数の前記検索された所望の音楽データがそれぞれ前記第２又は第３のキーワードと関連付けて記録された前記記録媒体から所望の音楽データを再生する音楽データ再生装置であって、
再生しようとする所望の音楽データの検索用キーワードを入力するための入力手段と、
入力された前記検索用キーワードと前記記録媒体に記録された前記第２又は第３のキーワードとの文字列比較を行い、同一と照合された前記第２又は第３のキーワードと関連付けられている音楽データを検索する検索手段と、
前記検索手段により検索された音楽データを、前記記録媒体から再生する再生手段と
を有することを特徴とする音楽データ再生装置。
【発明の詳細な説明】
【技術分野】
【０００１】
本発明は音楽データダウンロード方法及び音楽データ再生装置に係り、特に通信ネットワークを介して配信される膨大な数の楽曲の中から、ユーザが指定した条件に合致する楽曲を検索して得た音楽データを記録媒体にダウンロードする音楽データダウンロード方法、及びそのダウンロードした音楽データを記録媒体から再生する音楽データ再生装置に関する。
【背景技術】
【０００２】
従来のシリコンオーディオといわれているような、メモリに音楽データを蓄積して音楽を試聴する携帯型の音楽データ再生装置は、多くは個人がアルバムＣＤなどのバックアップとして利用したり、１曲ずつ蓄積する場合でもタイトルや歌手名をきちんと把握した上で利用しているので、曲目の管理において難しいものではなかった。
【０００３】
しかしながら、技術の進歩に伴いメモリが非常に安価になり、大容量のメモリを搭載した携帯型の音楽データ再生装置は、膨大な曲数の音楽データを蓄積できるようになってきた。また、音楽業界において著作権の管理や違法コピー防止のための対策が整備されてきたために、今後ますます音楽配信による曲の販売方法が広まってくるのは確実で、今度はアルバム単位の販売でなく１曲１曲の販売方法に変わってくるだろうと言われている。
【０００４】
このようになると、ユーザにとって曲の管理が難しくなるのは必至であり、何らかの検索方法が必要である。従来は、タイトル名やアルバムタイトル名、歌手名が一覧表示されれば、聴きたい曲を聴くのに十分であったが、曲数が１０００曲、１万曲ともなると、ユーザが全タイトル名を覚えているはずもなく、だからといって全部のタイトルを一覧表示しては気が遠くなる。
【０００５】
他方、ユーザが指定した条件に合致する楽曲を検索する機能を有する音楽配信システムを構成する音楽データ受信装置が知られている（例えば、特許文献１参照）。この特許文献１記載の音楽データ受信装置では、アーティスト、タレント、モデル等の特定の人物が特定のイメージに合致するとの条件下で選択した複数の曲の音楽データの識別情報をグループ化し、上記の特定の人物、イメージを表すキーワードに関連付けてユーザ側検索情報データベースに格納すると共に、複数の識別情報をサーバ側に送信し、送信した識別情報に対応する音楽データをサーバ側から受信して記憶媒体に記憶する構成である。
【０００６】
また、ユーザの好みに応じた音楽データを容易に検索することができるエージェントインタフェースの機能を持つ音楽データ再生装置も従来より知られている（例えば、特許文献２参照）。この特許文献２記載の従来の音楽データ再生装置は、音楽データに関連する音楽関連情報を入力する入力手段と、入力された音楽関連情報を登録する記憶手段と、音楽関連情報に含まれている単語とその単語に対応するベクトルが登録されている辞書と、入力された音楽関連情報を形態素解析し、辞書に登録するための単語とその単語に対応するベクトルを生成し、辞書に登録する辞書データ生成手段と、辞書を参照して音楽データの関連情報を検索する検索手段と、検索手段によって音楽データの関連情報の検索を行い、検索結果を提示すると共に、検索結果による所望の音楽データを再生するエージェントインタフェースと、各種アプリケーションを起動実行するアプリケーションインタフェースと、上記の各手段や各インタフェースを制御する制御手段とを備えた構成である。
【０００７】
【特許文献１】特開２００１−３３７６８４号公報
【特許文献２】特開２００３−８４７８３号公報
【発明の開示】
【発明が解決しようとする課題】
【０００８】
しかるに、特許文献１記載の音楽配信システム及び音楽データ受信装置では、特定の人物が特定のイメージに合致するとの条件下で選択した複数の曲の音楽データの識別情報をグループ化しておき、ユーザが複数の識別情報をサーバ側に送信し、サーバ側で送信した識別情報に対応する音楽データをグループ化した識別情報から検索して、サーバ側から受信して記憶媒体に特定の人物が推薦する曲を記録媒体にダウンロードするものであり、ユーザ側検索情報データベースに、サーバ側検索情報データベースと同一内容が格納されていることから検索時の更新時間は短縮できるものの、ユーザがダウンロードした多数の曲の中から所望の楽曲を効率良く検索することはできない。
【０００９】
また、特許文献２記載の従来の音楽データ再生装置では、音楽関連情報データベースから抽出した単語と、その単語に対応した単語ベクトル（単語が持つ概念と文脈との関係の程度を示すもので、予め定めた特徴単語との意味的な結合関係をベクトル表現したもの）とを含む辞書と、その辞書に入力された音楽関連情報から解析した単語及び単語ベクトルを登録する手段と、辞書を参照して音楽関連情報を検索する手段が必要であり、構成が複雑で高価である。
【００１０】
本発明は以上の点に鑑みなされたもので、ネットワークを介して配信される膨大な数の音源の中からユーザが選曲を行ってダウンロードした、曲数が１０００曲、１万曲等の膨大な数の楽曲が記録された記録媒体から、所望の楽曲を簡単に検索し得る音楽データダウンロード方法及び音楽データ再生装置を提供することを目的とする。
【００１１】
また、本発明の他の目的は、辞書や複雑な解析手段などを有さず、簡単で安価な構成により所望の楽曲を簡単に検索し得る音楽データダウンロード方法及び音楽データ再生装置を提供することを目的とする。
【課題を解決するための手段】
【００１２】
上記の目的を達成するため、第１の発明の音楽データダウンロード方法は、データベースに複数の音楽データがそれぞれ第１のキーワードと関連付けられて予め蓄積されている配信サイトである音楽データ送信装置に対して、通信ネットワークを介して音楽データ受信装置から所望の音楽データに関連する第２のキーワードを送信し、音楽データ送信装置において受信した第２のキーワードに一致する所望の音楽データを検索させた後、検索して得られた所望の音楽データを音楽データ送信装置から通信ネットワークを介して音楽データ再生装置に配信させ、音楽データ再生装置の記録媒体にダウンロードする音楽データダウンロード方法であって、音楽データ送信装置は、第２のキーワードに基づき検索して得られた所望の音楽データを少なくとも通信ネットワークを介して音楽データ受信装置へ送信し、音楽データ受信装置は、受信した検索された所望の音楽データを、音楽データ送信装置へ送信した第２のキーワード又は新たに作成した第３のキーワードと共に音楽データ再生装置へ供給し、音楽データ再生装置は、供給された検索された所望の音楽データと、供給された第２又は第３のキーワードとを関連付けて記録媒体に記録することを特徴とする。
【００１３】
この発明では、配信サイトである音楽データ送信装置からキーワード検索した所望の音楽データを通信ネットワークを介して音楽データ受信装置で受信し、その受信した所望の音楽データを送信した第２のキーワード又は新たに作成した第３のキーワードと関連付けて音楽データ再生装置の記録媒体に記録するようにしたため、記録媒体に膨大な数の楽曲の音楽データが記録されたとしても、その音楽データに関連付けた第２又は第３のキーワードが、ユーザが自分で考え、自分の言葉で表現したキーワードであるため、記録音楽データとの関連性が非常に強固なキーワードを容易に思い出して再生しようとする音楽データを検索することができる。
【００１４】
また、上記の目的を達成するため、第２の発明の音楽データ再生装置は、第１の発明の音楽データダウンロード方法によって、複数の検索された所望の音楽データがそれぞれ第２又は第３のキーワードと関連付けて記録された記録媒体から所望の音楽データを再生する音楽データ再生装置であって、再生しようとする所望の音楽データの検索用キーワードを入力するための入力手段と、入力された検索用キーワードと記録媒体に記録された第２又は第３のキーワードとの文字列比較を行い、同一と照合された第２又は第３のキーワードと関連付けられている音楽データを検索する検索手段と、検索手段により検索された音楽データを、記録媒体から再生する再生手段とを有する構成としたものである。
【００１５】
この発明では、複数の検索された所望の音楽データがそれぞれ第２又は第３のキーワードと関連付けて記録された記録媒体から所望の音楽データを再生するに際し、ユーザが自分で考え、自分の言葉で表現した第２又は第３のキーワードを用いて所望の音楽データを検索して再生することができる。
【発明の効果】
【００１６】
本発明によれば、音楽データ再生装置の記録媒体に膨大な数の楽曲の音楽データが記録されたとしても、ユーザが自分で考え、自分の言葉で表現したユーザ固有のキーワードと関連付けて記録媒体に記録されているため、再生しようとする音楽データをキーワード検索して再生する際に、記録音楽データとの関連性が非常に強固なキーワードを容易に思い出して、所望の曲目を簡単に素早く検索できる。
【発明を実施するための最良の形態】
【００１７】
次に、本発明を実施するための最良の形態について図面と共に説明する。図１は本発明になる音楽データダウンロード方法及び音楽データ再生装置の一実施の形態を概念的に説明するブロック図を示す。同図において、音楽データ送信装置１は配信サイトであり、複数の音楽データが、個々の音楽データに関連するキーワードと関連付けられて記録されているデータベース１１と、ユーザ端末である音楽データ受信装置２とのデータ送受信を行う通信手段１２と、音楽データ受信装置２より入力された検索キーワードを用いてデータベース１１から該当する音楽データを検索する検索手段１３とを少なくとも備えている。
【００１８】
音楽データ受信装置２は、いわゆるユーザ端末であり、一般にはパーソナルコンピュータ（以下、パソコンと略す）により構成されており、キーボードなどの入力手段２１と、音楽データ送信装置１とデータの送受信を行ったり、後述する音楽データ再生装置３とデータの送受信を行う通信手段２２と、表示部２３を少なくとも備えている。この音楽データ受信装置２と音楽データ送信装置１とは、インターネット等の通信ネットワーク４を介して接続される。
【００１９】
音楽データ再生装置３は、音楽データを蓄積するための記録媒体であるデータベース３１と、音楽データ受信装置２とデータを送受信するための通信手段３２と、音楽データを記録する記録手段３３と、入力されたキーワードを用いて該当する音楽データを検索する検索手段３４と、ボタン等の入力手段３５と、音楽を再生する再生手段３６と、音声出力部や表示部などからなる出力部３７を少なくとも備えている。なお、音楽データ再生装置３は、音楽データ受信装置２の機能を一体化したものであってもよい。
【００２０】
次に、本発明の音楽データのダウンロード方法の一実施の形態について、図１のブロック図と図２のシーケンス図を用いて順次説明する。ユーザは聴きたい楽曲を配信サイトから選ぶが、あいにくタイトルや歌手名が思い出せない。このようなときはたいていキーワード検索を行う。配信サイト、すなわち図１の音楽データ送信装置１のデータベース１１には、音楽データが、予めタイトル等に関連したキーワードと共に、互いに関連付けられて記録されている。
【００２１】
ユーザが音楽データ受信装置２の入力手段２１より聴きたい楽曲のキーワードを入力すると、通信手段２２が検索開始コマンドと共に入力されたキーワードを通信ネットワーク４を介して音楽データ送信装置１へ送信する（図２のステップＳ１）。音楽データ送信装置１は、通信手段１２で受信したキーワードを用いて検索手段１３により検索を実行し（図２のステップＳ２）、検索結果が得られると、その検索結果をキーワード送信元の音楽データ受信装置２に通信手段１２を用いて通信ネットワーク４を介して送信する（図２のステップＳ３）。
【００２２】
音楽データ受信装置２は、音楽データ送信装置１から送信された検索結果を通信手段２２により受信すると、その検索結果を表示部２３に表示する（図２のステップＳ４）。ユーザは、この検索結果から自分が聴きたかった楽曲かどうか判断する。ここで聴きたい楽曲が見付かれば、聴きたい楽曲の番号とダウンロード開始コマンドを、通信手段２２により通信ネットワーク４を介して音楽データ送信装置１へ送信する（図２のステップＳ５）。
【００２３】
音楽データ送信装置１は、上記の楽曲の番号とダウンロード開始コマンドを通信手段１２により受信すると、データベース１１から楽曲の番号に対応した楽曲の音楽データを取り出し、その音楽データをダウンロード開始コマンド送信元の音楽データ受信装置２へ応答送信する（図２のステップＳ６）。音楽データ受信装置２は上記の音楽データを通信手段２２により受信し（図２のステップＳ７）、音楽データ受信装置２に接続された音楽データ再生装置３へ受信した音楽データと共に、ユーザが先の検索時に入力した、あるいは今回新たに自分の言葉で作成したキーワードを通信手段２２より出力する（図２のステップＳ８）。
【００２４】
音楽データ再生装置３は音楽データ受信装置２から出力された上記の音楽データとキーワードを通信手段３２により受信すると、記録手段３３にて受信キーワードを受信音楽データと関連付けて、それらをデータベース３１に記録（ダウンロード）する（図２のステップＳ９）。
【００２５】
なお、本実施の形態をシリコンオーディオといわれているような、メモリに音楽データを蓄積して音楽を試聴する携帯型の音楽データ再生装置に適用した場合、先の検索キーワード、あるいはダウンロード時に新たに入力したキーワードをコメントデータとして音楽データと関連付けて、メモリからなるデータベース３１に記憶する方法としては、例えば音楽データをＭＰ３ファイルとして記憶する場合は、付属情報（タグ情報）としてキーワードを記憶する方法がある。
【００２６】
次に、音楽データ受信装置２における音楽データ再生装置３に対するダウンロード方法について、図３のフローチャートを用いて更に詳細に説明する。音楽データ受信装置２は、表示部２３の検索画面において検索開始ボタンが押されたかどうか監視しており（ステップＳ１１）、検索開始ボタンが押される度に、現在入力されている最新のキーワードを、音楽データ受信装置２内のメモリ（図１では図示を省略）に保存する（ステップＳ１２）。キーワードが複数個入力されていれば、メモリの複数の領域にそれぞれ保存される。
【００２７】
続いて、音楽データ受信装置２はダウンロードボタンが押されたかどうか監視し（ステップＳ１３）、ユーザが楽曲を決定してダウンロードボタンを押してダウンロードを開始したと判定すると、音楽データ受信装置２は音楽データ送信装置１から通信ネットワーク４を介して受信した音楽データを、先に述べたメモリ領域に保存されたキーワードと共に順次音楽データ再生装置３へ送信する（ステップＳ１４）。
【００２８】
次に、ユーザが音楽データ再生装置３で聴きたい楽曲を検索する方法を簡単に説明する。図１のデータベース３１には、例えば数千曲もの膨大な曲数の音楽データが蓄積されている。この中から聴きたい楽曲をすぐに探し出すのは容易なことではない。そこで、またキーワードによる検索を行う。このときユーザが思い出すキーワードは自ずとダウンロード時に検索した、あるいは検索後のダウンロードの際に新たに作成したユーザにしか通じないキーワードが出てくると考えられる。ユーザ自身が考えたキーワードは楽曲に非常に密接に関連しており、そうたやすく忘れるものではない。
【００２９】
ユーザが音楽データ再生装置３のボタン等の入力手段３５を使用して、その音楽データ検索用キーワードを入力すると、検索手段３４がデータベース３１に記録されているキーワードとの文字列比較を行い、同一と照合された記録キーワードと関連付けられている記録音楽データを検索し、検索結果を出力部３７の表示画面に表示する。ユーザは音楽データ再生装置３の出力部３７の表示画面に表示された楽曲から聴きたい楽曲を入力手段３５で選択すると、再生手段３６がデータベース３１から選択した楽曲に対応した音楽データを再生して出力部３７から出力する。これにより、ユーザは所望の楽曲の音楽データを容易に検索して聴取することができる。
【００３０】
なお、本実施の形態では、音楽データ受信装置２においてユーザが入力したキーワードを記憶し、音楽データ送信装置１から送信された音楽データと共に、音楽データ再生装置３にデータ送信するように説明したが、音楽データ送信装置１が検索時に使用したキーワードと共に音楽データを、音楽データ受信装置２へ送信してもよい。
【００３１】
次に、本発明の他の実施の形態について説明する。図４は図１の音楽データ受信装置２の表示部２３に表示された音楽データ検索結果のダウンロード画面の一例を示す。このダウンロード画面４０は、歌手名と曲名の表示領域４１と、キーワード入力をユーザに促す表示領域４２と、表示領域４１に表示された歌手名と曲名に関して入力されたキーワードを表示するキーワード表示領域４３と、ダウンロードボタン４４とからなる。
【００３２】
ここでは、キーワードとして「マイカラオケソング」が入力されたことが表示されている。このキーワードは、ユーザが抱いている曲のイメージや、その曲に関する思い出など、ユーザ固有のキーワードを入力することができるので、曲との関連性が強固なキーワードと考えてよい。
【００３３】
ユーザは、キーワードを入力した後、ダウンロードボタン４４を押すと、図１の音楽データ送信装置１から送信される音楽データと共に、そのキーワードも音楽データ受信装置２内のメモリ（図示せず）に保存される。そして、接続されている音楽データ再生装置３へ、キーワードと受信した音楽データが音楽データ受信装置２から送信される。
【００３４】
なお、入力するキーワードは、結果的にそのユーザにしか通じないキーワードとなり、例えば、「レストランで聴いた曲」とか「小学校の思い出」などの、ユーザが抱いている曲のイメージやその曲に関する思い出など、ユーザ固有のキーワードである。
【００３５】
この実施の形態によれば、音楽データ再生装置３から聴きたい曲を検索するとき、楽曲名が思い浮かばなくても、ユーザはその曲に強固に関連したキーワードを容易に思い出せるため、素早く検索することができる。また、本実施の形態は、辞書やその辞書へのキーワード登録手段、辞書を参照してキーワードを検索する手段などを有していないため、簡単かつ安価な構成の音楽データ受信装置２及び音楽データ再生装置３により所望の楽曲をキーワード検索することができる。
【図面の簡単な説明】
【００３６】
【図１】本発明の一実施の形態のブロック図である。
【図２】本発明のダウンロード方法の一実施の形態を説明するシーケンス図である。
【図３】本発明のダウンロード方法の一実施の形態を説明するフローチャートである。
【図４】本発明の他の実施の形態におけるキーワード入力画面の一例である。
【符号の説明】
【００３７】
１  音楽データ送信装置
２  音楽データ受信装置
３  音楽データ再生装置
４  通信ネットワーク
１１、３１  データベース
１２、２２、３２  通信手段
１３、３４  検索手段
２１、３５  入力手段
３３  記録手段
３６  再生手段
【図１】
2005233986.tif 000003
【図２】
2005233986.tif 000004
【図３】
2005233986.tif 000005
【図４】
2005233986.tif 000006